(57)【特許請求の範囲】
【請求項１】
複数枚のウェットティッシュを収容する紙製収容箱の上面側に開閉自在の蓋体が設けられるとともに、前記紙製収容箱の底面に形成されたミシン目を切り起こすことによって固定用垂下片が形成可能とされ、前記固定用垂下片をトイレットペーパーホルダの揺動式カバー奥端部とホルダ本体の背面壁とによって形成されるスリット状の間隙に挿入することによって固定可能とされるトイレ用ウェットティッシュ収容箱であって、
前記紙製収容箱の底面には、背面側との境界稜線を連結辺として、垂下片形成本体およびこの垂下片形成本体の先端に一体的に連設される差込み片を切り起こし可能とするミシン目が形成されるとともに、前記垂下片形成本体内部の境界稜線寄り側位置に抜止め係止片を成すミシン目が形成され、かつ前記背面側に前記差込み片を挿入するための差込み口を成すミシン目が形成され、
前記各ミシン目を破断し、前記垂下片形成本体を中間で外側方向に二重に折返し、先端の差込み片を前記背面側の差込み口に挿入することによって前記固定用垂下片を形成するようにしたことを特徴とするトイレ用ウェットティッシュ収容箱。
【請求項２】
前記抜止め係止片を成すミシン目は、前記境界稜線側に向かって凸形状の弧状ミシン目とされる請求項１記載のトイレ用ウェットティッシュ収容箱。
【請求項３】
前記抜止め係止片を成す弧状ミシン目は、幅寸法が５０〜９０mm、曲率半径が５０〜６０mmとされ、かつ前記垂下片形成本体の折返し位置から抜止め係止片端部まで距離が５〜１５mmの位置に形成されている請求項２記載のトイレ用ウェットティッシュ収容箱。
【請求項４】
前記差込み口を成すミシン目は、前記境界稜線側に向かって凸形状の弧状ミシン目とされる請求項１、２いずれかに記載のトイレ用ウェットティッシュ収容箱。
【請求項５】
前記差込み口を成す弧状ミシン目は、幅寸法が３５〜５０mm、曲率半径が３５〜４５mmとされ、かつ前記境界稜線から差込み口端部まで距離が５〜２５mmの位置に形成されている請求項４記載のトイレ用ウェットティッシュ収容箱。
【請求項６】
前記垂下片形成本体の略中間位置に前記境界稜線方向に沿って折返し用折れ線を設けるとともに、前記垂下片形成本体と、この垂下片形成本体の先端に一体的に連設される差込み片との境界部に折れ線を設けてある請求項１〜５いずれかに記載のトイレ用ウェットティッシュ収容箱。
【発明の詳細な説明】
【０００１】
【発明の属する技術分野】
本発明は、トイレットペーパーホルダに対し固定可能なトイレ用ウェットティッシュ収容箱に関する。
【０００２】
【従来の技術】
ドライティッシュペーパーと共に、市場に提供されているウェットティッシュペーパーは、その機能性より各用途毎のものが提供されるようになってきた。その中で、トイレでの用足しの後、使用されるものとしてトイレ用ウェットティッシュが知られている。
【０００３】
前記トイレ用ウェットティッシュは、乾燥しないように上面に開閉自在の封鎖蓋を備えた収容箱に収容され提供されているが、トイレで使用する際に、床の上に直に置いて使用するのでは感覚的に不潔感が伴う。一方で、棚の上に置いたのでは手が届かないなどの問題が発生する。
【０００４】
そこで、収容箱の底面より切り起こした固定用垂下片をトイレットペーパーホルダの溝、具体的にはトイレットペーパーホルダの揺動カバー材の後端部と、背面壁とによって形成されたスリット状の間隙に差し込んで固定できるようにしている。
【０００５】
【発明が解決しようとする課題】
しかしながら、単に切起し片を前記スリット状間隙に差し込んで固定しただけの支持構造の場合には、収容箱がトイレットペーパーホルダに安定して固定されず、大きなガタ付きが生じるとともに、傾きが生じ見た目が悪いなどの問題があった。
【０００６】
また、前記ウェットティッシュ収容箱は、重畳された各ウェットティッシュから一枚を取り出すと、次の一枚の一部が取出し口から露出する、所謂ポップアップ方式を採用しており、ウェットティッシュを摘み出す際に上方向の力が作用する。そのため、前記固定用垂下片に対し小片状に切り起こした抜止め係止片を設け、固定時に前記揺動式カバーの後端部に係止させることにより抜け止めとしているが、前記抜止め係止片が周囲の紙面と同面となることがあり、時々ウェットティッシュを摘み出す際に、収容箱と共に抜け出てしまうことがあった。
【０００７】
そこで本発明の主たる課題は、収容箱の底面から切り起こして形成する固定用垂下片の構造に係り、従来のものよりも格段に補強効果の高い固定用垂下片を形成することが可能となるとともに、トイレットペーパーホルダに対し容易かつ確実にきっちりと安定して固定でき、使用中も抜け出すことがないトイレ用ウェットティッシュ収容箱を提供することにある。
【０００８】
【課題を解決するための手段】
前記課題を解決するための本発明は、複数枚のウェットティッシュを収容する紙製収容箱の上面側に開閉自在の蓋体が設けられるとともに、前記紙製収容箱の底面に形成されたミシン目を切り起こすことによって固定用垂下片が形成可能とされ、前記固定用垂下片をトイレットペーパーホルダの揺動式カバー奥端部とホルダ本体の背面壁とによって形成されるスリット状の間隙に挿入することによって固定可能とされるトイレ用ウェットティッシュ収容箱であって、
前記紙製収容箱の底面には、背面側との境界稜線を連結辺として、垂下片形成本体およびこの垂下片形成本体の先端に一体的に連設される差込み片を切り起こし可能とするミシン目が形成されるとともに、前記垂下片形成本体内部の境界稜線寄り側位置に抜止め係止片を成すミシン目が形成され、かつ前記背面側に前記差込み片を挿入するための差込み口を成すミシン目が形成され、
前記各ミシン目を破断し、前記垂下片形成本体を中間で外側方向に二重に折返し、先端の差込み片を前記背面側の差込み口に挿入することによって前記固定用垂下片を形成するようにしたことを特徴とするものである。
【０００９】
この場合において、前記抜止め係止片を成すミシン目は前記境界稜線側に向かって凸形状の弧状ミシン目とするのが望ましい。具体的には、その幅寸法が５０〜９０mm、曲率半径が５０〜６０mmとされ、かつ前記垂下片本体の折返し位置から抜止め係止片端部まで距離が５〜１５mmの位置に形成されていることが望ましい。
【００１０】
また、前記差込み口を成すミシン目も前記境界稜線側に向かって凸形状の弧状ミシン目とするのが望ましい。具体的には、その幅寸法が３５〜５０mm、曲率半径が３５〜４５mmとされ、かつ前記境界稜線から差込み口端部まで距離が５〜２５mmの位置に形成されていることが望ましい。
【００１１】
他方、前記垂下片形成本体の略中間位置に前記境界稜線方向に沿って折返し用折れ線を設けるとともに、前記垂下片形成本体と、この垂下片形成本体の先端に一体的に連設される差込み片との境界部に折れ線を設けておくことが望ましい。
【００１２】
【発明の実施の形態】
以下、本発明の実施の形態について図面を参照しながら詳述する。
【００１３】
図１において、トイレ用ウェットティッシュペーパー収容箱１は、コートボール紙などの厚紙を用いて作製された紙製収容箱２と、上面に設けられた合成樹脂製の蓋ユニット３とで構成され、内部に乾燥防止のために液不透過性の袋に重畳された状態でウェットティッシュが収容されている。
【００１４】
前記紙製収容箱２は、通常図２に示されるように、一枚の厚紙を所定形状に裁断し、これを組立てて箱状とされる。前記紙製収容箱２の上面８には大きな開口８ａが形成されており、この開口部８ａに前記蓋ユニット３が固設されている。この蓋ユニット３は、蓋枠３Ａと、この蓋枠３Ａに対し一端を回転中心として開閉自在の蓋３Ｂとからなるもので、蓋３Ｂを閉めた状態では気密性が確保されるようになっている。
【００１５】
一方、前記トイレ用ウェットティッシュ収容箱１が固定されるトイレットペーパーホルダ４は、平面視でコ字状とされるホルダ本体５の上部位置に、背面側を回転中心として揺動自在とされる揺動式カバー６を設けた構造のもので、前記ホルダ本体５の背面壁５ａと、揺動式カバー６の奥端部６ａとの間に形成されるスリット状の間隙Ｍを利用して固定される。
【００１６】
前記紙製収容箱２は、展開状態では図２に示されるように、開口８ａが形成された上面８の４辺にそれぞれ連設して４枚の側面９Ａ〜９Ｄが設けられ、この側面９Ａ〜９Ｄの内、使用時に背面となる側面９Ａ（以下、背面という。）に連設して底面１０が設けられている。前記側面９Ａ〜９Ｄの所定箇所にはそれぞれ箱状に組み立てるために必要な鍔片１１ａ〜１１ｆが設けられている。なお、以降の説明で上下左右、水平、鉛直等の方向表示は図２に示される展開状態での方向を示している。
【００１７】
前記紙製収容箱２をトイレットペーパーホルダ４に固定するために、前記底面１０に対し、切り起して固定用垂下片１２を形成出来るミシン目１３が形成されている。前記ミシン目１３は、垂下片形成本体１４を形成するために背面９Ａとの境界稜線７位置を始点および終点として形成される略コ字状線１３ａと、垂下片形成本体１４の先端辺中央に連設される矩形状の差込み片１５を形成するための略コ字状線１３ｂとから構成されている。
【００１８】
前記垂下片形成本体１４の幅寸法Ｓ１は、前記トイレットペーパーホルダ４のスリット状間隙Ｍの長さ寸法（Ｌ）よりも小さくするが、固定した際の横ズレを抑えるために概ね0.7Ｌ〜0.95Ｌ程度とするのが望ましい。また、垂下片形成本体１４の中間位置、具体的には高さ方向中央よりやや下側位置には水平方向に沿って折返し用折れ線１６が形成され、垂下片形成本体１４を切り起こした後、さらに前記折返し用折れ線１６よりも先端側垂下片１４Ｂ部分を外側方向に二重に折り返し可能となっているとともに、前記差込み片１５との境界部には後述の差込み口２０に挿入し易いように折れ線１７が設けられている。
【００１９】
前記垂下片形成本体１４の内部、具体的には前記折返し用折れ線１６よりも下側の基端側垂下片１４Ａには本紙製収容箱２をトイレットペーパーホルダ４に固定した際に抜け止めのための抜止め係止片１８を成す弧状ミシン目１９が形成されている。この抜止め係止片１８は、背面９Ａとの境界稜線７側に向かって凸形状となるように形成されるもので、後述のように、前記固定垂下片１２を組み立てた際に自然に外方に突出するようになっている。前記抜止め係止片１８の幅寸法は、５０〜９０mm、好ましくは６５〜７５mmとされ、その曲率半径Ｒ１は５０〜６０mm、好ましくは５５〜５８mmとされる。前記抜止め係止片１８の両端部には、破れに対する耐久性を向上させるために逆側に小さな凸状切込み１９ａ、１９ａを形成しておくことが望ましい。この凸状切込み１９ａの曲率半径Ｒ２は３〜８mmとするのが望ましい。また、抜止め係止片１８の形成位置は、後述の理由により、折返し用折れ線１６から抜止め係止片１８の両端まで距離Ｓ３が５〜１５mmの範囲となるようにする。
【００２０】
一方、背面９Ａには、底面１０との境界稜線７側に向かって凸形状の弧状ミシン目によって形成される差込み口２０が形成されている。この差込み口２０の長さ寸法Ｓ４は３５〜５０mmとするのが望ましく、前記差込み片１５の寸法よりも１〜５mm程度大きくするのが望ましい。また、曲率半径Ｒ３は３５〜４５mm、好ましくは３８〜４０mmとするのが望ましい。また、形成位置は底面との境界稜線７から差込み口端部までの距離Ｓ５が５〜２５mmとなる位置に形成するのが望ましい。
【００２１】
かかるトイレ用ウェットティッシュ収容箱１をトイレットペーパーホルダ４に固定するには、同収容箱１を逆さにしたならば、図３に示されるように、ミシン目１３に沿って破断し、垂下片形成本体１４と、これと一体の差込み片１５とを起こし起立させる。また、弧状ミシン目１９を破断し抜止め係止片１８を形成する。次いで、図４に示されるように、前記固定用垂下片１４の折返し用折れ線１６に沿ってその先端側垂下片１４Ｂを外側に折り返し、先端の差込み片１５を前記差込み口２０に差し込むことにより、図５に示されるように、２重となって補強効果の高い固定用垂下片１２が形成される。固定用垂下片１２を組立てたならば、図８に示されるように、前記固定用垂下片１２をトイレットペーパーホルダ４のスリット状間隙Ｍに挿入し、トイレ用ウェットティッシュ収容箱１を固定する。
【００２２】
前記垂下片形成本体１４においては、図６に示されるように、先端側垂下片１４Ｂを中間の折返し用折れ線１６に沿って折り返した際に、折返しによって基端側垂下片１４Ａ側に発生する回転方向の作用力Ｆ（復元力）によって弧状に形成された抜止め係止片１８が自然と外方に突出するようになる。その結果、トイレットペーパーホルダ４に固定用垂下片１２を挿入した際に、前記抜止め係止片１８が確実に揺動式カバー６の奥端部に係合し、使用中にティッシュペーパーと共に収容箱１が上方に抜け出るのを確実に防止するようになる。
【００２３】
また、差込み片１５の差込み部では、図７に示されるように、弧状に形成された差込み口２０の凸部２０ａが先端側垂下片１４Ｂを弾性的に押さえ付けるようになっているため、固定用垂下片１２が壁側に折れ曲がるのを防止するとともに、固定用垂下片１２を起立方向に支持するため、使用時における安定性と耐久性を向上させるようになっている。
【００２４】
なお、すべてのウェットティッシュを使い果たしたならば、図９に示されるように、蓋ユニット３の周囲に予め形成されているミシン目２２を破り、紙製収容箱２から蓋ユニット３を分離し分別廃棄する。
【００２５】
【実施例】
本実施例では、差込み口２０の曲率半径および切込み長さを変化させるとともに、抜止め係止片１８の曲率半径および切込み長さを変化させた各ケースについて実験を行い、その好適な数値範囲の特定を行った。試験は表１に示す実施例１〜３および比較例１〜３の６ケースについて行い、その結果を表２にまとめた。
【００２６】
【表１】
0004094200.tif 000002
【００２７】
【表２】
0004094200.tif 000003
【００２８】
以上の結果より、本発明で特定した差込み口２０の曲率半径、切込み長さおよび抜止め係止片１８の曲率半径、切込み長さとした場合には、収容箱１内に収容されている５０枚のすべてのウェットティッシュペーパーを良好な状態で取り出せることが確認できた。
【００２９】
【発明の効果】
以上詳説のとおり本発明によれば、収容箱の底面から切り起こして形成する固定用垂下片の構造に係り、従来のものよりも格段に補強効果の高い固定用垂下片を形成することが可能となるとともに、トイレットペーパーホルダに対し容易かつ確実にきっちりと安定して固定でき、使用中も抜け出すことがないなどの利点がもたらされるようになる。
【図面の簡単な説明】
【図１】トイレ用ウェットティッシュ収容箱１の斜視図およびトイレットペーパーホルダ４の斜視図である。
【図２】紙製収容箱２の展開図である。
【図３】固定用垂下片１２の組立要領図（その１）である。
【図４】固定用垂下片１２の組立要領図（その２）である。
【図５】固定用垂下片１２の組立要領図（その３）である。
【図６】垂下片形成本体１４の折返し状態を示す拡大図である。
【図７】差込み部の拡大断面図（図５のVII部）である。
【図８】トイレ用ウェットティッシュ収容箱１の設置要領図である。
【図９】トイレ用ウェットティッシュ収容箱１の廃棄要領図である。
【符号の説明】
１…トイレ用ウェットティッシュ収容箱、２…紙製収容箱、３…蓋ユニット、４…トイレットペーパーホルダ、５…ホルダ本体、６…揺動式カバー、７…境界稜線、８…上面、８ａ…開口、９Ａ〜９Ｄ…側面、１０…底面、１２…固定用垂下片、１３…ミシン目、１４…垂下片形成本体、１４Ａ…基端側垂下片、１４Ｂ…先端側垂下片、１５…差込み片、１６…折返し用折れ線、１７…折れ線、１８…抜止め係止片、１９…弧状ミシン目、２０…差込み口
【図１】
0004094200.tif 000004
【図２】
0004094200.tif 000005
【図３】
0004094200.tif 000006
【図４】
0004094200.tif 000007
【図５】
0004094200.tif 000008
【図６】
0004094200.tif 000009
【図７】
0004094200.tif 000010
【図８】
0004094200.tif 000011
【図９】
0004094200.tif 000012